(57)【要約】【課題】電極引出部のマイグレーション発生を抑制し、プラズマディスプレイ装置の信頼性を向上させることを目的とする。【解決手段】パネル本体の基板端部を封着シール部材１４の外側に延出させた延出部１５に設けられ電極に接続される複数の接続端子１６と、この接続端子１６に接続される配線を有しかつ前記延出部１５に取り付けられるフレキシブル基板１７と、このフレキシブル基板１７の接続端子１６との接続部を覆うように基板８の延出部１５に形成した樹脂層１９とを有し、封着シール部材１４を基板端部より延出部１５に食み出るように形成した。【選択図】　図４
2004029262.tif 000002
【特許請求の範囲】
【請求項１】
一対の基板を間に放電空間が形成されるように対向配置するとともに周辺部を封着シール部材により封着しかつ前記放電空間で放電が発生するように基板に電極を配置して複数の放電セルを構成したパネル本体と、このパネル本体の前記基板端部を封着シール部材の外側に延出させた延出部に設けられ前記電極に接続される複数の接続端子と、この接続端子に接続される配線を有しかつ前記延出部に取り付けられるフレキシブル基板と、このフレキシブル基板の接続端子との接続部を覆うように前記基板の延出部に形成した樹脂層とを有し、前記封着シール部材を基板端部より延出部に食み出るように形成したことを特徴とするプラズマディスプレイ装置。
【請求項２】
封着シール部材の延出部に食み出た部分は、基板端部から１ｍｍ以下の長さである請求項１に記載のプラズマディスプレイ装置。
【請求項３】
樹脂層は、光硬化性樹脂、熱硬化性樹脂または熱可塑性樹脂のいずれかにより構成した請求項１記載のプラズマディスプレイ装置。
【請求項４】
接続端子は、銀、銅、アルミニウムまたはそれらの合金により構成したことを特徴とする請求項１に記載のプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
プラズマディスプレイ装置は、液晶パネルに比べて高速の表示が可能であり視野角が広いこと、大型化が容易であること、自発光型であるため表示品質が高いことなどの理由から、フラットパネルディスプレイ技術の中で最近特に注目を集めている。
【０００３】
一般に、このプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００４】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００５】
このようなプラズマディスプレイ装置においては、駆動回路から表示用信号をパネルの各電極に供給するため、基板の端部に各電極に接続される接続端子を設け、この接続端子を通じてフレキシブル基板（以下、ＦＰＣという）を用いて表示用信号を入力するように構成している。また、このパネルへのＦＰＣの接続には、異方性導電膜（以下、ＡＣＦという）を用い、ＦＰＣをＡＣＦを介して熱圧着することにより接続端子とＦＰＣの配線導体とを接合する構成である。
【０００６】
【発明が解決しようとする課題】
ところで、このプラズマディスプレイ装置においては、パネル電極材料として、銀、銅、アルミニウムおよびそれらの合金を用いているが、特に銀電極については、電圧印加時に水分の存在があるとマイグレーションが起き易く、接続端子間の絶縁不良を起こし表示信頼性を損なう原因となる。
【０００７】
そこで、ＦＰＣを接続した部分を含む接続端子部分全体を防湿性の樹脂により被覆しているが、防湿性樹脂を接続端子上に塗布する際に、２枚の基板の貼り合わせ部分の隙間に気泡が混入し、銀電極のマイグレーションが発生し易い状況を作り出してしまうという課題があった。
【０００８】
本発明はこのような課題に鑑みなされたもので、電極ならびに接続部のマイグレーションを防止し、プラズマディスプレイ装置の信頼性を向上することを目的とするものである。
【０００９】
【課題を解決するための手段】
上記目的を達成するために本発明のプラズマディスプレイ装置は、パネル本体の基板端部を封着シール部材の外側に延出させた延出部に設けられ前記電極に接続される複数の接続端子と、この接続端子に接続される配線を有しかつ前記延出部に取り付けられるフレキシブル基板と、このフレキシブル基板の接続端子との接続部を覆うように前記基板の延出部に形成した樹脂層とを有し、前記封着シール部材を基板端部より延出部に食み出るように形成したもので、フレキシブル基板を含む接続端子上に被覆する樹脂を塗布する際に、塗布した樹脂内に気泡が混入するのを極力防ぐことができる。
【００１０】
【発明の実施の形態】
すなわち、本発明の請求項１記載の発明は、一対の基板を間に放電空間が形成されるように対向配置するとともに周辺部を封着シール部材により封着しかつ前記放電空間で放電が発生するように基板に電極を配置して複数の放電セルを構成したパネル本体と、このパネル本体の前記基板端部を封着シール部材の外側に延出させた延出部に設けられ前記電極に接続される複数の接続端子と、この接続端子に接続される配線を有しかつ前記延出部に取り付けられるフレキシブル基板と、このフレキシブル基板の接続端子との接続部を覆うように前記基板の延出部に形成した樹脂層とを有し、前記封着シール部材を基板端部より延出部に食み出るように形成したものである。
【００１１】
また、請求項２に記載の発明は、請求項１において、封着シール部材の延出部に食み出た部分は、基板端部から１ｍｍ以下の長さとしたものである。
【００１２】
さらに、請求項３に記載の発明は、請求項１において、樹脂層は、光硬化性樹脂、熱硬化性樹脂または熱可塑性樹脂のいずれかにより構成したものである。
【００１３】
また、請求項４に記載の発明は、請求項１において、接続端子は、銀、銅、アルミニウムまたはそれらの合金により構成したことを特徴とする。
【００１４】
以下、本発明の一実施の形態によるプラズマディスプレイ装置について、図１〜図４を用いて説明する。
【００１５】
図１に本発明の一実施の形態によるプラズマディスプレイ装置におけるパネル構造の一例を示し、図２に図１のＡ−Ａ線で切断した断面を示し、図３に図１のＢ−Ｂ線で切断した断面を示している。
【００１６】
図に示すように、ガラス基板などの透明な前面側の基板１上には、走査電極２と維持電極３とで対をなすストライプ状の表示電極４が複数対形成され、そして基板１上の隣り合う表示電極４間には遮光層５が配置形成されている。この走査電極２および維持電極３は、それぞれ透明電極２ａ、３ａおよびこの透明電極２ａ、３ａに電気的に接続された銀等の母線２ｂ、３ｂとから構成されている。また、前記前面側の基板１には、前記複数対の電極群を覆うように誘電体層６が形成され、その誘電体層６上には保護膜７が形成されている。
【００１７】
また、前記前面側の基板１に対向配置される背面側の基板８上には、走査電極２及び維持電極３の表示電極４と直交する方向に、絶縁体層９で覆われた複数のストライプ状のアドレス電極１０が形成されている。このアドレス電極１０間の絶縁体層９上には、アドレス電極１０と平行にストライプ状の複数の隔壁１１が配置され、この隔壁１１間の側面１１ａおよび絶縁体層９の表面に蛍光体層１２が設けられている。
【００１８】
これらの基板１と基板８とは、走査電極２および維持電極３とアドレス電極１０とが直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁１１によって複数の区画に仕切ることにより、表示電極４とアドレス電極１０との交点が位置する複数の放電セル１３が設けられ、その各放電セル１３には、赤色、緑色及び青色となるように蛍光体層１２が一色ずつ順次配置され、これによりパネル本体が構成されている。
【００１９】
図４に同プラズマディスプレイ装置の背面側の電極引出部分を示している。この図４に示すように、走査電極と維持電極で構成される表示電極（図示せず）、誘電体層６、保護層（図示せず）を有する前面側の基板１と、絶縁体層９、アドレス電極１０、隔壁１１、蛍光体層１２を有する背面側の基板８とは、一定の間隔を保持して対向配置され、そしてその基板１、８の周辺部は、低融点ガラスフリットなどからなる封着シール部材１４で封着されている。
【００２０】
また、パネル本体の前記基板８には、端部を封着シール部材１４の外側に延出させた延出部１５が設けられ、そしてこの延出部１５には前記アドレス電極１０を延長することにより設けられ、銀、銅、アルミニウムまたはそれらの合金により構成した複数の接続端子１６が配置されている。ＦＰＣ１７は、この接続端子１６に接続される配線（図示せず）を有し、このＦＰＣ１７はＡＣＦ１８を介して熱圧着することにより接続端子１６とＦＰＣ１７の配線導体とを接合するとともに、前記延出部１５に取り付けられている。
【００２１】
さらに、前記基板８の延出部１５には、光硬化性樹脂、熱硬化性樹脂または熱可塑性樹脂のいずれかにより構成された防湿性の樹脂層１９が、ＦＰＣ１７と接続端子との接続部と封着シール部材１４の露出部とを覆うように、基板１端部からＦＰＣ１７の上面までの範囲、並びに基板８の端部からＦＰＣ１７の下面までの範囲に塗布されるように形成されている。
【００２２】
また、封着シール部材１４は、基板１端部より延出部１５に食み出るように形成されている。なお、封着シール部材１４の延出部１５に食み出た食み出し部１４ａの長さｇは、図４に示すように基板端部から１ｍｍ以下の長さが望ましい。ここで、防湿性の樹脂層１９は基板端部を含めて被覆することにより、界面からの水分の滲入を防止することができる。そして、封着シール部材１４を基板１端部から延出部１５に食み出させることにより、封着シール部材１４で封着された部分と防湿性の樹脂層１９との間に水分が存在する空間が形成されにくくなり、これにより接続部におけるアドレス電極のマイグレーション発生を抑制し、プラズマディスプレイ装置の信頼性を向上させることができる。
【００２３】
すなわち、基板８の延出部１５への封着シール部材１４の食み出しがない場合、基板１、８の端部の貼り合わせ部分を隙間なく封着シール部材１４で埋めることができればよいが、隙間があると、ＦＰＣ実装後に電極全体に防湿性の樹脂層１９を塗布して形成したとき、樹脂層１９と封着シール部材１４で埋めきれなかった部分の間に空気中の水分を閉じ込める空間が形成され、電極のマイグレーションを起こす要因を含んだままとなり、接続端子および接続部の長期信頼性を損なう恐れがある。
【００２４】
本発明においては、封着シール部材１４を基板端部より延出部１５に食み出るように形成したもので、樹脂層１９と基板の貼り合わせ部分との間に、電極のマイグレーション発生の要因となる水分空間が形成されにくくなるため、接続端子および接続部の長期信頼性を維持することができる。
【００２５】
また、食み出し部１４ａの長さは基板端部から１ｍｍ以下の長さとなるようにしている。すなわち、封着シール部材１４の食み出しが多くなると、基板の接続端子１６にＦＰＣ１７をＡＣＦ１８を介して熱圧着する際に使用する金属製の熱ヘッドが、食み出して硬化した封着シール部材１４に当り、この上から圧着した場合には基板を破損するか、もしくは熱ヘッドの欠け、傷などの損傷を与えてしまう恐れが発生し、ＦＰＣ１７の接続作業を行いにくくなってしまうが、食み出し部１４ａの長さを基板端部から１ｍｍ以下としておくことにより、ＦＰＣ取り付け時の基板の破損、熱ヘッドの欠け、損傷などの問題が発生しにくくなり、ＦＰＣ取り付け時の作業性の低下を防ぐことができる。
【００２６】
【発明の効果】
以上の説明から明らかなように本発明にかかるプラズマディスプレイ装置によれば、封着シール部材を基板の延出部に所定量だけ食み出させることにより、封着シール部材で封着された部分と樹脂層との間に水分が存在できる空間が形成されにくくなり、接続部のアドレス電極のマイグレーション発生を抑制し、これによりプラズマディスプレイ装置の信頼性を向上させることができる。
【図面の簡単な説明】
【図１】本発明の一実施の形態によるプラズマディスプレイ装置のパネル構造の一部を切り欠いて示す斜視図
【図２】図１のＡ−Ａ線で切断した断面図
【図３】図１のＢ−Ｂ線で切断した断面図
【図４】同プラズマディスプレイ装置の主要部を示す断面図
【符号の説明】
１、８　基板
２　走査電極
３　維持電極
４　表示電極
６　誘電体層
７　保護膜
９　絶縁体層
１０　アドレス電極
１１　隔壁
１２　蛍光体層
１３　放電セル
１４　封着シール部材
１４ａ　食み出し部
１５　延出部
１６　接続端子
１７　フレキシブル基板（ＦＰＣ）
１９　樹脂層
【図１】
2004029262.tif 000003
【図２】
2004029262.tif 000004
【図３】
2004029262.tif 000005
【図４】
2004029262.tif 000006